(57)【要約】【課題】Ｌ字の出隅が暗くなりにくい照明装置を得る。【解決手段】照明装置１は、アクリルカバー４０と、第１の光源２１Ｌと、第２の光源３３Ｌと、第３の光源２２Ｌとを備える。アクリルカバー４０は、側面視Ｌ字型のカバーである。第１の光源２１Ｌは、アクリルカバー４０のＬ字の縦線部分である立ち上がり部２を照明する。第２の光源３３Ｌは、アクリルカバー４０のＬ字の横線部分であるベース部３を照明する。第３の光源２２Ｌは、アクリルカバー４０のＬ字の出隅を照明する。【選択図】図７
2020123471.tif 000002
【特許請求の範囲】
【請求項１】
側面視Ｌ字型のＬ字カバーと、
前記Ｌ字カバーのＬ字の縦線部分である立ち上がり部を照明する第１の光源と、
前記Ｌ字カバーのＬ字の横線部分であるベース部を照明する第２の光源と、
前記Ｌ字カバーのＬ字の出隅を照明する第３の光源と
を備えることを特徴とする照明装置。
【請求項２】
前記第１の光源は、正面視で水平方向に配置されたＬＥＤライン照明であり、
前記第２の光源は、側面視で水平方向に配置されたＬＥＤライン照明であり、
前記第３の光源は、正面視で水平方向に配置されたＬＥＤライン照明である
ことを特徴とする請求項１に記載の照明装置。
【請求項３】
前記第３の光源は、照射方向が前記Ｌ字カバーのＬ字の出隅に向くように角度をつけて配置されていることを特徴とする請求項１または２に記載の照明装置。
【請求項４】
前記第３の光源からの光が後方にも照射され、前記Ｌ字カバーの下面部から抜けるように構成されていることを特徴とする請求項１から３のいずれか１項に記載の照明装置。
【発明の詳細な説明】
【技術分野】
【０００１】
本開示は、照明装置に関する。
【背景技術】
【０００２】
従来より、天井や壁などの造営材に取り付けられる様々なタイプの照明装置が知られている。例えば、特許文献１には、蛍光ランプを互いに隣接するように配置したロの字形構成の蛍光灯照明装置が開示されている。
【先行技術文献】
【特許文献】
【０００３】
【特許文献１】特開平０１−１３７５０３号公報
【発明の概要】
【発明が解決しようとする課題】
【０００４】
ところで、近年のオフィスビルなどでは、天井の一部分が下がっている下がり天井が用いられることがある。このような下がり天井の段差に合うように側面視Ｌ字型の照明装置を取り付けたい場合、単にＬ字に沿って直管ＬＥＤ（light emitting diode）を配置したのでは、Ｌ字の出隅（Ｌ字の屈曲部の外側部分）が暗くなってしまう課題がある。
【０００５】
本開示は、このような従来技術の有する課題に鑑みてなされたものであり、Ｌ字の出隅が暗くなりにくい照明装置を得ることを目的とする。
【課題を解決するための手段】
【０００６】
上記課題を解決するために、本開示の一態様にかかる照明装置は、Ｌ字カバーと、第１の光源と、第２の光源と、第３の光源とを備える。前記Ｌ字カバーは、側面視Ｌ字型のカバーである。前記第１の光源は、前記Ｌ字カバーのＬ字の縦線部分である立ち上がり部を照明する。前記第２の光源は、前記Ｌ字カバーのＬ字の横線部分であるベース部を照明する。前記第３の光源は、前記Ｌ字カバーのＬ字の出隅を照明する。
【発明の効果】
【０００７】
本開示によれば、Ｌ字の出隅が暗くなりにくい照明装置を得ることができる。
【図面の簡単な説明】
【０００８】
【図１】本実施形態にかかる照明装置の外観図である。
【図２】本実施形態にかかる照明装置の使用例を示す模式図である。
【図３】本実施形態にかかる照明装置の正面図である。
【図４】本実施形態にかかる照明装置のＡ−Ａ断面図である。
【図５】本実施形態にかかる照明装置の底面図である。
【図６】本実施形態にかかる照明装置の上面図である。
【図７】本実施形態にかかる照明装置のＬ字の出隅の部分拡大図である。
【図８】本実施形態にかかる照明装置の内部配線図である。
【図９】本実施形態にかかる照明装置の分解斜視図である。
【発明を実施するための形態】
【０００９】
次に、図面を参照して、一実施形態にかかる照明装置を説明する。以下の図面の記載において、同一又は類似の部分には同一又は類似の符号を付している。
【００１０】
（概要）
図１は、本実施形態にかかる照明装置１の外観図である。この照明装置１は、天井や壁などの造営材に取り付けられる天井付け照明器具である。具体的には、図１に示すように、下がり天井１００に取り付けられるＬ字カバー直付灯である。図１では、照明装置１の正面部に符号１ａ、側面部に符号１ｂ、底面部に符号１ｃを付している。
【００１１】
詳細については後述するが、下がり天井１００から室内側に露出する取付ボルトに本体が直付けされ、本体に対して４本のＬＥＤライン照明が着脱可能に取り付けられる。小型のＬＥＤライン照明をＬ字の出隅Ｃに照射させることで角部を光らせ、Ｌ字カバーを均斉度よく光らせる構造になっている。
【００１２】
本実施形態でいう「Ｌ字」は、２つのラインが略直角に交わる場合を意味する。少なくとも２つのラインが交わっていればよく、正確に直角に交わる必要はない。「Ｌ字の出隅Ｃ」は、丸く面取り加工されていてもよく、「Ｌ字の屈曲部」と言い換えることもできる。
【００１３】
（使用例）
図２は、本実施形態にかかる照明装置１の使用例を示す模式図である。ここでは、オフィスビル内の会議室の下がり天井１００に照明装置１が取り付けられている様子を例示している。以下、照明装置１のうち、Ｌ字の縦線部分を立ち上がり部２といい、Ｌ字の横線部分（立ち上がり部２を除く。）をベース部３という。
【００１４】
図２に示すように、会議室の下がり天井１００の縁から立ち上がり部２が露出している。ベース部３の側面は下がり天井１００の壁に埋まっているが、ベース部３の下面は露出している。ベース部３の下面の高さ位置は、下がり天井１００の高さ位置と略同じであり、ほとんど段差が無く且つなだらかに繋がるように構成されている。
【００１５】
（内部構造）
図３〜図６は、本実施形態にかかる照明装置１の内部構造の説明図であり、図３は正面図、図４はＡ−Ａ断面図、図５は底面図、図６は上面図である。以下の説明でいう「前後」「左右」「上下」の用語は、特に断りのない限り、図３の正面図を基準に考えるものとする。
【００１６】
図３〜図６に示すように、本実施形態にかかる照明装置１は、本体３１と、枠３２と、アクリルカバー４０とを備える。本体３１には、ＬＥＤユニットなどが取り付けられる。以下、各構成部品について具体的に説明する。
【００１７】
本体３１は、下がり天井１００の凹部１０１に組み込まれる長尺かつ平板状の支持部材である。本体３１の左右の縁は、曲げ加工を施すことで内向きに折り曲げられている。本体３１の前端の一部を切り起こすことで、下がり天井１００に取り付ける際の位置合わせ部材３１ｄが形成されている。
【００１８】
本体３１の前後方向（長手方向）における中央部には、電源線６ａ（図９参照）を通すための穴３１ａと、信号線６ｂ（図９参照）を通すための穴３１ｂが形成されている。本体３１の前後方向における両端寄りの位置には、取付ボルト８（図９参照）を通すための穴３１ｃが形成されている。
【００１９】
本体３１の上面部には、天井材との間に挟まれるスペーサＳが形成されている。本体３１の下面部には、第２の反射板３３と連結するためのブラケット３４のほか、電源装置３５、電源用端子台３６ａ（図８参照）、信号用端子台３６ｂ（図８参照）などが取り付けられる。
【００２０】
枠３２は、本体３１の左右の縁に沿って前後方向に取り付けられる一対の部材である。枠３２の端面は、正面視でＬ字型に形成されている。枠３２の前後方向における両端寄りの位置には、本体３１にネジ止めするための長穴３２ａが形成されている。
【００２１】
第２の光源３３Ｌは、ＬＥＤユニットであり、例えば長さ９００ｍｍ程度の２本のＬＥＤライン照明３３Ｌを用いることができる。ＬＥＤライン照明３３Ｌは、前後方向に長い矩形板状に形成されたプリント配線板を有する。プリント配線板の実装面には、複数のＬＥＤが長手方向に沿って実装されている。
【００２２】
第１の光源２１Ｌは、小型のＬＥＤユニットであり、例えば長さ９０ｍｍ程度のＬＥＤライン照明２１Ｌを用いることができる。第３の光源２２Ｌも同様、小型のＬＥＤユニットであり、例えば長さ９０ｍｍ程度のＬＥＤライン照明２２Ｌを用いることができる。ＬＥＤライン照明２１Ｌ・２２Ｌは、左右方向に長い矩形板状に形成されたプリント配線板を有する。プリント配線板の実装面には、複数のＬＥＤが長手方向に沿って実装されている。
【００２３】
第２の反射板３３は、２本のＬＥＤライン照明３３Ｌからの光を反射する板体であり、鏡面である表面が下方を向いている。第２の反射板３３の下面部には、前後方向の全長に亘って、２本のＬＥＤライン照明３３Ｌが取り付けられている。第２の反射板３３の上面部には、前後方向の全長に亘って、電源装置３５を収容するための矩形の凹部が形成されている。この凹部の前後方向における両端寄りの位置には、本体３１と連結するためのブラケット３４が取り付けられている。
【００２４】
第２の反射板３３の凹部の正面側の開口端縁から外側に向かって上方へ傾斜する取付板２２が延設されている。この取付板２２の上端部には、正面視で水平方向に小型のＬＥＤライン照明２２Ｌが取り付けられている。「正面視で水平方向」とは、「左右方向」や「取付板２２の幅方向」と言い換えることもできる。ＬＥＤライン照明２２Ｌの取り付け構造については後に詳しく説明する。
【００２５】
取付板２２の上端部から垂直方向に第１の反射板２１が延設されている。第１の反射板２１は、ＬＥＤライン照明２１Ｌからの光を反射する板体であり、鏡面である表面が前方を向いている。第１の反射板２１の中央部には、正面視で水平方向に小型のＬＥＤライン照明２１Ｌが取り付けられている。第１の反射板２１の裏面には、天井材との間に挟まれるスペーサＳが形成されている。なお、取付板２２は、このような第１の反射板２１と一体の反射板として形成することも可能である。
【００２６】
アクリルカバー４０は、拡散性を有する材料（例えば乳白色のアクリル樹脂）により、上面が開口するＬ字型に形成されている。アクリルカバー４０の側面には、本体３１の左右の縁に沿って一対の枠３２が外向きに取り付けられる。
【００２７】
電源装置３５は、ＬＥＤライン照明２１Ｌ・２２Ｌ・３３Ｌの点灯電力を生成するために必要な回路部品を有する。電源装置３５からはケーブルが引き出され、ケーブルの先端にはプラグが設けられている。
【００２８】
（出隅照射構造）
図７は、図４に示されるＬ字の出隅Ｃの部分拡大図である。以下、図７を用いて、Ｌ字の出隅Ｃの照射構造について更に詳しく説明する。
【００２９】
図７に示すように、本体３１の位置合わせ部材３１ｄを下がり天井１００の所定位置に合わせ、本体３１を取付ボルト８とナット９で下がり天井１００に固定し、第１の反射板２１をネジ７で下がり天井１００に固定している。取付板２２は、第２の反射板３３にネジ７で固定されているため、本体３１に対して所定の角度で傾斜している。これにより、ＬＥＤライン照明２２Ｌは、照射方向２２Ｄがアクリルカバー４０のＬ字の出隅Ｃに向くように角度をつけて配置されるようになっている。側面視では、ＬＥＤライン照明２２Ｌの照射方向２２Ｄと取付板２２の取付面との間の角度θは略直角となる。このような構成によれば、Ｌ字の出隅Ｃに光が照射されるため、Ｌ字の出隅Ｃも均一に光らせることが可能である。
【００３０】
ここで、ＬＥＤライン照明２２Ｌからの光は、Ｌ字の出隅Ｃに向いた照射方向２２Ｄを主方向として照射されるが、その周辺にも多少の光が飛ぶ。そのため、ＬＥＤライン照明２２Ｌからの光が第２の反射板３３で遮られて影ができてしまうことを防ぐため、第２の反射板３３のうち、取付板２２の下端位置２２Ｐよりも正面側の部分をカットしておくのが望ましい。どの程度の長さをカットするかは、ＬＥＤライン照明２２Ｌの配光や、ＬＥＤライン照明２２Ｌとの位置関係などに応じて適宜調整すればよい。このような構成によれば、ＬＥＤライン照明２２Ｌから後方に飛んだ光は、第２の反射板３３で遮られることなくアクリルカバー４０の下面部から抜ける。そのため、ＬＥＤライン照明２２Ｌを追加しても、アクリルカバー４０の下面部を均一に光らせることが可能である。
【００３１】
（内部配線イメージ）
図８は、本実施形態にかかる照明装置１の内部配線図である。天井裏に先行配線された電源線６ａ・信号線６ｂが電源用端子台３６ａ・信号用端子台３６ｂを介して電源装置３５に接続される。電源装置３５から引き出されたケーブルがＬＥＤライン照明２１Ｌ・２２Ｌ・３３Ｌに接続される。
【００３２】
ここでは、図８に示すように、ＬＥＤライン照明２１ＬとＬＥＤライン照明３３Ｌを１セットとし、この１セットを一方の電源装置３５で点灯させるようにしている。また、ＬＥＤライン照明２２ＬとＬＥＤライン照明３３Ｌを１セットとし、この１セットを他方の電源装置３５で点灯させるようにしている。もちろん、このような内部配線は、ＬＥＤユニットの電気容量などに応じて適宜変更することが可能である。
【００３３】
（施工手順）
図９は、本実施形態にかかる照明装置１の分解斜視図である。本実施形態では、アクリルカバー４０を接着することによりフレーム無しでＬ字カバーを作り、建築のスリット奥に最小のフレームでアクリルカバー４０を取り付けるようにしている。
【００３４】
例えば、作業者は、天井裏に先行配線された電源線６ａおよび信号線６ｂを本体３１の穴３１ａおよび穴３１ｂに通し、本体３１側のＬＥＤユニットに接続する（図８参照）。次いで、本体３１の位置合わせ部材３１ｄを下がり天井１００の凹部１０１の開口１０１ａの縁に合わせ、下がり天井１００から室内側に露出している取付ボルト８を本体３１の穴３１ｃに通し、ナット９を締めて本体３１を固定する。また、天井材に第１の反射板２１をネジ７で固定する。最後に、アクリルカバー４０を下側から当て、アクリルカバー４０の左右端に取り付けられた枠３２を本体３１にネジ７で固定する。
【００３５】
以上説明したように、本実施形態にかかる照明装置１は、アクリルカバー４０と、第１の光源２１Ｌと、第２の光源３３Ｌと、第３の光源２２Ｌとを備える。アクリルカバー４０は、側面視Ｌ字型のカバーである。第１の光源２１Ｌは、アクリルカバー４０のＬ字の縦線部分である立ち上がり部２を照明する。第２の光源３３Ｌは、アクリルカバー４０のＬ字の横線部分であるベース部３を照明する。第３の光源２２Ｌは、アクリルカバー４０のＬ字の出隅Ｃを照明する。これにより、Ｌ字の出隅Ｃに光が照射されるため、Ｌ字の出隅が暗くなりにくい効果がある。
【００３６】
具体的には、第１の光源２１Ｌは、正面視で水平方向に配置されたＬＥＤライン照明２１Ｌであるのが望ましい。第２の光源３３Ｌは、側面視で水平方向に配置されたＬＥＤライン照明３３Ｌであるのが望ましい。第３の光源２２Ｌは、正面視で水平方向に配置されたＬＥＤライン照明２２Ｌであるのが望ましい。このような構成は、ベース部３に対して立ち上がり部２が短い場合に特に効果的である。
【００３７】
また、第３の光源２２Ｌは、照射方向２２Ｄがアクリルカバー４０のＬ字の出隅Ｃに向くように角度をつけて配置されているのが望ましい。これにより、第３の光源２２Ｌを追加するだけで、簡単にＬ字の出隅Ｃに光を照射することが可能である。
【００３８】
また、第３の光源２２Ｌからの光が後方にも照射され、アクリルカバー４０の下面部から抜けるように構成されているのが望ましい。このような構成によれば、第３の光源２２Ｌを追加しても、アクリルカバー４０の下面部を均一に光らせることが可能である。
【００３９】
以上、本開示の好適な実施形態について例示して説明したが、上記実施形態には限定されず、種々の変形が可能である。例えば、上記実施形態では、第１の光源２１Ｌ、第２の光源３３Ｌ、第３の光源２２Ｌとして計４本の直管ＬＥＤを例示したが、光源の種類や数は特に限定されるものではない。また、下がり天井１００の段差に合うように照明装置１が埋込配設された場合を例示したが、照明装置１の設置場所、設置方法、施工手順は特に限定されるものではない。さらに、各部の細部のスペック（形状、大きさ、レイアウト等）も適宜に変更可能である。
【符号の説明】
【００４０】
１  照明装置
２  立ち上がり部
３  ベース部
２１Ｌ  ＬＥＤライン照明（第１の光源）
２２Ｌ  ＬＥＤライン照明（第３の光源）
３３Ｌ  ＬＥＤライン照明（第２の光源）
４０  アクリルカバー（Ｌ字カバー）
Ｃ  出隅
【図１】
2020123471.tif 000003
【図２】
2020123471.tif 000004
【図３】
2020123471.tif 000005
【図４】
2020123471.tif 000006
【図５】
2020123471.tif 000007
【図６】
2020123471.tif 000008
【図７】
2020123471.tif 000009
【図８】
2020123471.tif 000010
【図９】
2020123471.tif 000011